(57)【要約】【課題】ユーザが視聴のために番組を出力中にその裏番組だけを対象として録画を行い、かつそのように録画対象を限定してもユーザの好みに合う番組の録画機会を逸することがないような録画システムを提供する。【課題を解決するための手段】放送番組を視聴させるために出力する出力部と、出力部から出力されている放送番組の裏番組を自動録画するか判断する判断部と、判断結果が録画するとの判断結果である場合には、視聴している番組の裏番組を録画する裏番組録画部とを有する録画システム等を提供する。【選択図】図１
2008118197.tif 000002
【特許請求の範囲】
【請求項１】
放送番組を視聴させるために出力する出力部と、
出力部から出力されている放送番組の裏番組を自動録画するか判断する判断部と、
判断結果が録画するとの判断結果である場合には、視聴している番組の裏番組を録画する裏番組録画部と、
を有する録画システム。
【請求項２】
判断部は、
出力部から出力されている放送番組の属性情報を取得する視聴番組属性情報取得手段と、
裏番組の属性情報を取得する裏番組属性情報取得手段と、
取得した視聴番組属性情報と取得した裏番組属性情報とが所定の関係にあるか比較する第一比較手段と、
第一比較手段での比較結果が所定の関係にあるとの比較結果である場合には裏番組を録画すると判断する属性系判断手段と、
を有する請求項１に記載の録画システム。
【請求項３】
判断部は、
出力部から過去に出力された放送番組の属性情報を取得する過去視聴番組属性情報取得手段と、
裏番組の属性情報を取得する裏番組属性情報取得手段と、
取得した過去視聴番組属性情報と取得した裏番組属性情報とが所定の関係にあるか比較する第二比較手段と、
第二比較手段での比較結果が所定の関係にあるとの比較結果である場合には裏番組を録画すると判断する過去属性系判断手段と、
を有する請求項１に記載の録画システム。
【請求項４】
判断部は、
裏番組の番組放送時間を取得する番組放送時間情報取得手段と、
取得した番組放送時間どうしを比較して最も番組放送時間が長い裏番組を特定するための最長放送時間裏番組特定手段と、
最長放送時間裏番組特定手段にて特定された裏番組を録画すると判断する最長放送時間系判断手段と、
を有する請求項１に記載の録画システム。
【請求項５】
判断部は、
出力部から出力されている放送番組の属性情報を取得する視聴番組属性情報取得手段と、
裏番組の属性情報を取得する裏番組属性情報取得手段と、
裏番組の番組放送時間を取得する番組放送時間情報取得手段と、
取得した視聴番組属性情報と所定の関係を有する裏番組属性情報を有する放送番組が複数ある場合には、その中で取得した番組放送時間が最も長い裏番組を録画すると判断する属性時間系判断手段と、
を有する請求項１に記載の録画システム。
【請求項６】
判断部は、
裏番組の自動録画が実行中であるか判断する実行中判断手段を有し、
実行中判断手段の判断結果が自動録画実行中であるとの判断結果である場合には自動録画実行中である番組以外の放送番組を録画するとの判断をしない請求項１から３のいずれか一に記載の録画システム。
【請求項７】
放送番組を視聴させるために出力する出力ステップと、
出力ステップにて出力されている放送番組の裏番組を自動録画するか判断する判断ステップと、
判断ステップにての判断結果が録画するとの判断結果である場合には、視聴している番組の裏番組を録画する裏番組録画ステップと、
を有する録画方法。
【発明の詳細な説明】
【技術分野】
【０００１】
本発明は、放送番組の裏番組を自動録画することが可能な録画システムに関する。
【背景技術】
【０００２】
近年、放送波やインターネットを介して受信可能な番組が増加するとともに内容も多様化し、ユーザの好みに合う番組が数多く放映等されるようになっている。また、見たい番組が増えれば増えるほど、リアルタイムですべての番組を視聴することはますます困難となり、録画して後で視聴する機会も増加している。
この場合に重要なことは多くの番組の中から、自分の好みに合った番組を見落とすことなく確実に録画することである。かかるニーズに応えるため、電子番組ガイド（ＥＰＧ，Ｅｌｅｃｔｒｏｎｉｃ  Ｐｒｏｇｒａｍ  Ｇｕｉｄｅ）を放送波等から取得することにより、番組のタイトル等からユーザが予め好みに合う番組を選別して録画予約を行うことが一般に行われているほか、ＥＰＧに含まれるキーワードやジャンルを検索してユーザの好みに合う番組を自動的に録画する技術も知られている（例えば特許文献１参照）。さらに、過去に録画した番組と共通のキーワードやＩＤを含む番組を自動的に録画する技術も知られている（例えば特許文献２参照）。
【特許文献１】特開２００５‐３１２０２４号公報
【特許文献２】特開２００６‐１８００５８号公報
【発明の開示】
【発明が解決しようとする課題】
【０００３】
しかし、ＥＰＧ情報に含まれるキーワードやジャンルを検索してユーザの好みに合う番組を自動的に録画する方法の場合、キーワードはユーザが予め指定しておく必要があり、キーワードの設定の仕方が適切でなかったり、ＥＰＧ情報に含まれるキーワードが適切でなかったりすると、好みに合う番組の録画機会を逸するおそれがある。
また、過去に録画した番組と共通のキーワードを含む番組を自動的に録画する方法の場合、ユーザが録画操作を行わない限り新たなキーワードが増えないため、過去に録画したことのない新たなジャンルに好みが広がった場合などにやはり録画機会を逸する恐れがある。
【０００４】
そこで、本発明の解決すべき課題は、ユーザがいちいちキーワードを設定しなくても、あるいは過去に当該キーワードを含む番組を録画したことがない場合でも、ユーザの普段のテレビ視聴履歴などから、ユーザの好みを判断し、かかる好みに合う番組を自動的に録画することで、ユーザが見たい番組の録画機会を逸することがないようにすることにある。
また、その際に、一日のテレビ視聴時間が長いユーザは、多くの録画番組を視聴する余裕もあると考えられる反面、一日の視聴時間が短いユーザは、あまり多くの番組を録画しても全部を見ることは困難であると考えられる。このため、ユーザの視聴の便宜も考えて現実的な量の番組だけを録画することも本発明の解決すべき課題である。具体的な課題は、ユーザが視聴のために番組を出力中にその裏番組だけを対象として録画を行い、かつそのように録画対象を限定してもユーザの好みに合う番組の録画機会を逸することがないような録画システムを提供することにある。
【課題を解決するための手段】
【０００５】
以上の課題を解決するため、本発明においては放送等の出力がなされた番組について、キーワードの設定の有無を問わず録画すべき番組を適切に判断して録画するシステムを提供する。また、その際、ユーザの視聴の便宜を考え、ユーザがテレビ等を視聴している時間、即ち、番組が現に出力されている場合に、その裏番組を対象として録画するシステムを提供する。
【０００６】
即ち、本発明のうち請求項１に記載の発明は、放送番組を視聴させるために出力する出力部と、出力部から出力されている放送番組の裏番組を自動録画するか判断する判断部と、判断結果が録画するとの判断結果である場合には、視聴している番組の裏番組を録画する裏番組録画部とを有する録画システムを提供する。また、請求項２に記載の発明は、判断部は、出力部から出力されている放送番組の属性情報を取得する視聴番組属性情報取得手段と、裏番組の属性情報を取得する裏番組属性情報取得手段と、取得した視聴番組属性情報と取得した裏番組属性情報とが所定の関係にあるか比較する第一比較手段と、第一比較手段での比較結果が所定の関係にあるとの比較結果である場合には裏番組を録画すると判断する属性系判断手段とを有する請求項１に記載の録画システムを提供する。また、請求項３に記載の発明は、判断部は、出力部から過去に出力された放送番組の属性情報を取得する過去視聴番組属性情報取得手段と、裏番組の属性情報を取得する裏番組属性情報取得手段と、取得した過去視聴番組属性情報と取得した裏番組属性情報とが所定の関係にあるか比較する第二比較手段と、第二比較手段での比較結果が所定の関係にあるとの比較結果である場合には裏番組を録画すると判断する過去属性系判断手段とを有する請求項１に記載の録画システムを提供する。また、請求項４に記載の発明は、判断部は、裏番組の番組放送時間を取得する番組放送時間情報取得部と、取得した番組放送時間どうしを比較して最も番組放送時間が長い裏番組を特定するための最長放送時間裏番組特定部と、最長放送時間裏番組特定部にて特定された裏番組を録画すると判断する最長放送時間系判断手段とを有する請求項１に記載の録画システムを提供する。また、請求項５に記載の発明は、判断部は、出力部から出力されている放送番組の属性情報を取得する視聴番組属性情報取得手段と、裏番組の属性情報を取得する裏番組属性情報取得手段と、裏番組の番組放送時間を取得する番組放送時間情報取得部と、取得した視聴番組属性情報と所定の関係を有する裏番組属性情報を有する放送番組が複数ある場合には、その中で取得した番組放送時間が最も長い裏番組を録画すると判断する属性時間系判断手段とを有する請求項１に記載の録画システムを提供する。また、請求項６に記載の発明は、判断部は、裏番組の自動録画が実行中であるか判断する実行中判断手段を有し、実行中判断手段の判断結果が自動録画実行中であるとの判断結果である場合には自動録画実行中である番組以外の放送番組を録画するとの判断をしない請求項１から３のいずれか一に記載の録画システムを提供する。また、請求項７に記載の発明は、放送番組を視聴させるために出力する出力ステップと、出力ステップにて出力されている放送番組の裏番組を自動録画するか判断する判断ステップと、判断ステップにての判断結果が録画するとの判断結果である場合には、視聴している番組の裏番組を録画する裏番組録画ステップとを有する録画方法を提供する。
【発明の効果】
【０００７】
本発明により、ユーザがいちいちキーワードを設定しなくても、あるいは過去に当該キーワードを含む番組を録画したことがない場合でも、ユーザの普段のテレビ視聴履歴などから、ユーザの好みを判断し、かかる好みに合う番組を自動的に録画することで、ユーザが見たい番組の録画機会を逸することがないようにすることが可能な録画システムを提供することができる。また、その際に、ユーザの視聴の便宜も考えて現実的な量の番組だけを録画することが可能な録画システムを提供することも可能となる。具体的には、ユーザが視聴のために番組を出力中にその裏番組だけを対象として録画を行い、かつそのように録画対象を限定してもユーザの好みに合う番組の録画機会を逸することがないような録画システムを提供することができる。
【発明を実施するための最良の形態】
【０００８】
以下に、本発明の実施例を説明する。実施例と請求項の相互の関係は以下のとおりである。実施例１は主に請求項１、請求項２、請求項７などに関し、実施例２は主に請求項３などに関し、実施例３は主に請求項４などに関し、実施例４は主に請求項５などに関し、実施例５は主に請求項６などに関する。なお、本発明はこれら実施例に何ら限定されるものではなく、その要旨を逸脱しない範囲において、種々なる態様で実施しうる。
【実施例１】
【０００９】
<概要>
本実施例の録画システムは、出力されている放送番組の裏番組を自動録画するかどうか判断し、録画すると判断した場合にこの裏番組を録画する手段を有する点に特徴がある録画システムである。
また、上のような録画システムであって、録画するかどうかを出力されている番組と裏番組とが所定の関係にあるか比較し、この比較結果が所定の関係にある場合に録画するように構成されている録画システムである。
図１は、本発明の基本的な概念を示すための図である。本例は、出力されている番組と裏番組が所定の関係にあると判断する場合に裏番組を録画するように構成されている例であり、所定の関係が番組のジャンルが同じであるとの関係である場合である。本図では、録画システム０１００を構成するテレビジョン装置０１０１で第１チャンネルで放送中のスポーツ番組（野球中継番組）０１０２が出力されており、この場合、録画システムは、この番組のジャンルである「スポーツ」と同じジャンルのすべての裏番組を自動的に録画する（なお、本例では裏番組を放送中のチャンネルは第２から第１０までの９個チャンネルあるものとする）。このため録画システムは０１０３に判断結果を示したような、出力中の番組と裏番組のジャンルの比較を行い、出力中の番組と同じ「スポーツ」のジャンルの番組を放送中の第２、第３、第５、第６、第９及び第１０チャンネルの裏番組を録画すると判断し、これらの番組を録画する。
【００１０】
<構成>
（構成の概要）
図２は、本実施例の録画システムの機能ブロックの一例を示す。本図に示すように、「録画システム」０２００は、「出力部」０２１０と、「判断部」０２２０と、「裏番組録画部」０２３０とを有する。
【００１１】
（出力部）
「出力部」は、放送番組を視聴させるために出力するように構成されている。
「放送番組」は、放送波により送信される番組であっても、インターネットなどを介して送信される番組であってもよい。放送は地上波によるものでも衛星放送でもよく、アナログ放送でもデジタル放送でもよい。また、映像及び音声を含む番組が典型であるが、映像だけの番組であってもよい。さらに、映像は動画、静止画のいずれでもよい。
【００１２】
（判断部）
「判断部」は、出力部から出力されている放送番組（以下「視聴番組」ということがある。）の裏番組を自動録画するか判断するように構成されている。
「裏番組」とは、現に出力中の番組と同時に他局で放送されている番組を言う。従って、出力中の番組と放送時間帯が一部でも重なっていれば裏番組になり得る。例えば、現に出力されている番組Ａの放送時間帯が、某日の１９時００分から２０時００分までの場合、他局で同日の１９時００分から２０時００分まで放送されている番組Ｂは常に裏番組であるが、このほか１９時００分から１９時３０分まで放送されている番組Ｃ、１８時３０分から１９時３０分まで放送される番組Ｄも、番組Ａが１９時００分から１９時３０分までの間に出力されている間は裏番組である。また、１８時３０分から２０時３０分に放送される番組Ｅも、番組Ａを出力中は常に放送中であるので、やはり裏番組である。
なお、本発明においては番組Ａと放送時間帯が一部でも重なっていれば、番組Ａの出力前、出力後においても裏番組として録画対象になり得ることとしている。これは、上記の裏番組の定義に反しない範囲でその範囲を拡大解釈するものであるが、この点については後述する。
【００１３】
（判断部の判断の仕方の一の実施例）
裏番組を自動録画するか否かの判断の仕方については、いくつかの実施例が考えられる。
一の実施例は、裏番組はすべて録画するという判断を行うものである。これは、同じような時間帯には同じようなジャンルの番組が放送されることが多いということを前提としている。例えば、８時から１０時までの間には各局ともワイドショーを放送することが多く、１８時から１９時までの間にはニュースを、１９時から２１時までの間にはバラエティ番組を放送することが多い。また、２１時から２２時の間にはドラマを放送することが多く、２３時から２４時の間にはニュース・スポーツニュース・天気予報といった報道番組を放送することが多い。このように、同じジャンルの複数の番組が同一時間帯に放送されることが多いということは、ユーザから見れば、好みに合う番組が同じ時間帯に重なって放送されることが多いということになる。つまり、ある番組をユーザが視聴するために出力しているときは、それ以外の裏番組もすべて当該ユーザの好みに合う番組である蓋然性が高いといえる。そこで、裏番組をすべて録画することで好みに合う番組の録画機会を逸するおそれを最小化することができる。
【００１４】
一方、この方法によっても、放送されるすべての番組を録画するわけではなく、出力中の番組がある場合に限りその裏番組を録画するものである。つまり、録画対象はユーザがテレビを見ている時間帯の番組に限られる。このため、一日のテレビ視聴時間が長いユーザ、即ち視聴時間を十分に確保できるユーザの場合は、番組が大量に録画されるのに対し、一日の視聴時間が短いユーザ、即ち視聴時間を十分に確保できないユーザや長時間の視聴を好まないユーザの場合は、少量の番組だけが録画されることになる。このようにユーザの視聴傾向にあわせて現実に再生して見ることが可能な範囲の録画量とすることで、ユーザの視聴の便宜も考えた現実的な録画を行うことが可能となる。
別の実施例については、以下に裏番組録画部の構成について説明した後に説明する。
【００１５】
（裏番組録画部）
「裏番組録画部」は、判断部での判断結果が録画するとの判断結果である場合には、視聴している番組の裏番組を録画するように構成されている。
この場合、裏番組録画部は、裏番組の録画を開始した時点及び／又は裏番組の録画が終了した時点で、その旨を例えば画面上に文字によるメッセージなどで表示するように構成されていてもよい。これは、録画中もしくは録画済みの裏番組があることをユーザに知らせ、ユーザの視聴のためのチャンネル切換えなどのトリガーとなり得ることを目的とする。他の実施例においても同様である。
なお、裏番組の中には、ある番組が番組開始時から出力された場合でも、その時には既に放送が始まっているものがあり得る。例えば、上例の番組Ａを視聴するために１９時００分に同番組を出力させた場合、裏番組のうち１８時３０分から放送が始まっている番組Ｄや番組Ｅはいずれも既に番組が始まっているわけである。この場合、一つの録画パターンとして、番組Ｄ、Ｅについては番組途中の１９時００分から録画を開始するということが考えられる。これは、視聴者の視聴時間帯に配慮して録画時間が長くなりすぎないようにすることを優先させた構成であるといえる。あるいは、この趣旨をさらに徹底するとともに、番組途中から録画してもあまり意味がないと考える場合には、既に放送が始まっている番組は録画対象からはずすように構成してもよい。一方、視聴者の好みに合う番組はできるだけ多く録画する方を優先させて、番組を出力した時に既に始まっている裏番組を番組当初から録画するように構成してもよい。同様に、番組の出力を止めた場合は、たとえ放送途中の裏番組であってもその時点で録画を中止するように構成してもよいし、その裏番組の放送終了時まで録画を継続するように構成してもよい。
【００１６】
そこで次に、かかる番組を出力した時に既に始まっている裏番組を番組当初から録画し、あるいは番組の出力を止めた時点で放送途中の裏番組の録画を放送終了時まで継続するための具体的構成について説明する。
まず、番組を出力した時に既に始まっている裏番組を番組当初から録画するためには、例えば録画システムがバッファメモリを備えており、当該バッファメモリにすべての番組を一時的に録画しておく構成が考えられる。例えば、上の番組構成の例で、１９時００分に番組Ａの出力を開始した場合、番組Ｄ（放送時間帯１８時３０分〜１９時３０分）と番組Ｅ（放送時間帯１８時３０分〜２０時３０分）は既に放送が始まっているが、かかる構成により予め録画が開始されているので、後刻番組の最初から再生して見ることができるわけである。また、バッファメモリの容量を無駄に消費しないようにするため、裏番組となる可能性がなくなった時点で当該番組の録画を破棄するようにしてもよい。裏番組となる可能性がなくなった時点とは、その番組の放送終了時に放送中であったすべての番組の放送が終了した時点である。
もっとも、裏番組となる可能性がなくなった時点で当該番組の録画を破棄するようにしても、例えばＡ番組の次の番組であるａ番組の放送時間帯が２０時００分から２２時００分までの場合、番組Ｅ（放送時間帯１８時３０分〜２０時３０分）は少なくとも２２時００分まで（２０時３０分の時点で放送中であって放送終了時刻がさらに遅い他番組があればその時刻まで）録画を残しておく必要があるというように、各局間での番組の切り換わり時刻のずれが大きい場合や著しく長時間の番組（例えば１２時間のドラマとか２４時間以上の特別番組）がある場合は、バッファメモリの消費量がかなりにのぼることも考えられる。
そこで、例えば直近の５分間分だけすべての番組を録画するというように、録画時間を一定の短時間に限定する（録画量が５分間分に達した後は、古いデータを破棄しつつ録画を継続する）ようにしてもよい。かかる構成でも、ユーザがその番組の一部を見ることにより自分の好みに合う番組であることを知って次回からその番組を視聴したり、録画したりするきっかけとなり得るので十分な効果が期待できる。
さらに、ユーザの視聴時間帯がパターン化しており、予め予測可能な場合には、その時間帯に放送される番組の裏番組となり得る番組だけを録画するようにしてもよい。例えばユーザの視聴時間帯が毎日１９時００分から２０時００分までと決まっている場合には、１９時の時点で放送されている番組だけを予め番組のはじめから録画しておけば足りることになる。この場合、ユーザの視聴時間帯のパターンに係る情報は、例えば視聴履歴を蓄積しておくことで取得可能である。
次に、番組の出力を止めた時点で放送途中の裏番組がある場合に、その時点で裏番組の録画を中止するように構成するか、あるいは放送終了時まで録画を継続するように構成するかは、判断プログラムの命令をそのように書き込んでおくことで実現可能である。
【００１７】
ところで、本発明における「裏番組」とは出力部から出力されている放送番組以外を指す概念であるから、ユーザが視聴中にチャンネルを切り換えた場合には裏番組も切り換わることになる。例えば、チャンネルが第１チャンネル（１ＣＨ）から第５チャンネル（５ＣＨ）まで５個ある場合、ユーザが１ＣＨを視聴中は２〜５ＣＨで放送中の番組が裏番組であるが、ユーザがチャンネルを２ＣＨに切り換えた瞬間に２ＣＨはもはや裏番組ではなく視聴番組となる。これと入れ替わる形で１ＣＨの番組が裏番組になり、この結果１ＣＨ及び３〜５ＣＨの番組が裏番組ということになる。そこで、裏番組を録画対象とする以上、チャンネルを切り換えた瞬間から録画対象も新たな裏番組である１ＣＨの番組に切り換わる（３〜５ＣＨは引き続き録画対象である）ことになり、それまで録画中だった２ＣＨの番組の録画はその瞬間に中止されることになる。このような構成としても、その瞬間以降は２ＣＨの番組を生で見ているので、後で録画したそこまでの場面を見れば番組全体を視聴できることとなり支障はないわけである。
ただし、ユーザが他局の放送番組内容を確認したりコマーシャルを見ないようにしたりするために番組視聴中に次々にチャンネルを切り換えること（いわゆるザッピング）も多いことに鑑みれば、以上の原則的な構成のほかに、一旦録画を開始した番組（本例では２ＣＨの番組）は途中で当該番組が出力されても番組の最後まで録画を継続するように構成してもよい。これは、一旦裏番組と認識された番組は、途中で視聴されることがあっても裏番組ではなくならない、換言すれば裏番組かどうかは最初の出力時に決まるという構成にすることで実現可能である。この場合の具体的構成については、他の実施例において述べる。
【００１８】
ところで、本発明の解決すべき課題は、既述のようにユーザが視聴のために番組を出力中にその裏番組だけを対象として録画を行い、かつそのように録画対象を限定してもユーザの好みに合う番組の録画機会を逸することがないような録画システムを提供することにあるが、実際の録画システムや録画装置においては、裏番組に限らずユーザの好みに合う番組を広く自動録画するものも十分考えられるところである。かかるシステム等も、裏番組を自動録画するための構成として本発明で開示する構成、方法を用いる以上は、他の構成、方法を含んでいたとしても、当然本発明を利用することとなるのであって、このうち裏番組を録画するための構成、方法にかかる部分は当然本発明の技術的範囲内となるものであることを付言しておく。
【００１９】
（判断部の判断の仕方の別の実施例）
そこで、判断部の判断の仕方に関する説明に戻り、上に説明した一の実施例とは別の実施例について説明する。本実施例は、裏番組のうち、出力中の番組と所定の関係にある番組だけを録画するものである。
図３は、かかる実施例の録画システムの機能ブロックの一例を示す。本例の録画システムは、図２を用いて説明した録画システムと基本的に共通する。ただし、本図に示すように、本例の「録画システム」０３００の「判断部」０３２０は、「視聴番組属性情報取得手段」０３２１と、「裏番組属性情報取得手段」０３２２と、「第一比較手段」０３２３と、「属性系判断手段」０３２４とを有する。
【００２０】
（視聴番組属性情報取得手段）
「視聴番組属性情報取得手段」は、「出力部」０３１０から出力されている放送番組の属性情報を取得するように構成されている。
「属性情報」とは、番組の属性に関する情報をいう。「番組の属性」とは、番組の属するジャンル（例えば、スポーツ、ドラマ、報道など）、番組のタイトル、放送チャンネル、放送日時、出演者名などをいう。また、番組の映像に関する属性情報としては、カラー／モノクロの別、動画／静止画の別、３Ｄ映像／２Ｄ映像の別などがあり、音声に関する属性情報としては、ステレオ／モノラルの別、副音声の有無などがある。さらに、コマーシャルの対象商品や特定の出演者の登場場面なども属性情報に含まれる。
【００２１】
かかる属性情報は例えば、放送局より送信されるＥＰＧ情報等の放送データの中からそのまま取得することが考えられる。例えば、番組のジャンル、番組のタイトル、放送チャンネル、放送日時、出演者名などがこれに該当し得る。ただし、例えばジャンルがＥＰＧ情報に含まれていない場合は、番組タイトルに含まれるキーワードなどを解析してジャンルを判定して取得するようにしてもよい。また、コマーシャルの対象商品や特定の出演者の登場場面などは放送データを音声認識技術や画像認識技術を利用して解析することによりこれを取得することが考えられる。
【００２２】
このように属性情報には様々な種類のものがあり得るところ、視聴番組属性情報取得手段は、ある番組についてすべての属性情報を取得してもよいし、特定の属性情報だけを取得してもよい（ただし、裏番組であることを判断するために放送チャンネルに係る情報の取得は必須である）。取得対象となる属性情報のリスト（取得対象属性情報リスト）は予め記憶装置に保持されている。図１で示したものは、放送チャンネル以外の属性情報として番組のジャンルだけを取得して比較するという単純な構成のものである。
【００２３】
（裏番組属性情報取得手段）
「裏番組属性情報取得手段」は、裏番組の属性情報を取得するように構成されている。ここでいう「属性情報」も、上で説明した出力されている放送番組の「属性情報」と同じ意味である。また、これに該当する具体例やその取得方法なども同様である。
【００２４】
（第一比較手段）
「第一比較手段」は、取得した視聴番組属性情報と取得した裏番組属性情報とが所定の関係にあるか比較するように構成されている。
「所定の関係」とは、視聴番組属性情報と裏番組属性情報とが予め定められた関係にあることをいうが、具体的には、両者の属性情報の少なくとも一部が一致する関係にあることをいう。属性情報の一部が一致する例としては、どちらの属性情報も番組のジャンルが「スポーツ」であることを示す情報を含むとか、どちらの属性情報も番組タイトルに「ドラマ」というキーワードを含む情報を含むといった場合が挙げられる。また、属性情報が示す番組の放映日時が完全に一致することもこれに該当し得る。
この比較は、当然取得した属性情報について行うので、図１の例のように属性情報を一つ（ジャンル）だけ取得する場合は、当該一つの属性情報を比較することとなり、比較結果は一致するか一致しないかのどちらかである、一方、複数の属性情報を取得する場合は、そのすべてが一致する場合にのみ所定の関係にあると判断するようにしてもよいし、一定数以上（例えば５個以上）が一致する場合に所定の関係にあると判断するようにしてもよい。また、後者の場合に、特定の属性情報を重視するように重み付けを行ってもよい（例えばジャンルが一致する場合は３個の一致とみなして計算するといったごときである）。このため、第一比較手段はかかる比較ルール定めたテーブル等を予め保持しており、当該ルールに則って比較を行うことが望ましい。
【００２５】
（属性系判断手段）
「属性系判断手段」は、第一比較手段での比較結果が所定の関係にあるとの比較結果である場合には裏番組を録画すると判断するように構成されている。例えば、所定の関係が、どちらの番組の属性情報もジャンルが「スポーツ」であることを示す情報を含むことである場合、この情報を含む裏番組だけが録画され、この情報を含まない裏番組は録画されない。平たく言えば、スポーツ番組を視聴中は、裏番組のうちスポーツ番組だけが録画され、他のジャンルのドラマや報道番組は録画されないということである。
【００２６】
（具体的例に即した機能ブロックの説明）
ここで、本実施例における具体例に即した機能ブロックの一例について説明する。図１９はかかる機能ブロックの一例を示す図である。
本図の例では、出力部１９１０は、ある日の１９時００分から２１時００分まで放送されているバラエティ番組（番組Ｆ）を出力しているものとする。この場合、判断部１９２０の視聴番組属性情報取得手段１９２１は、視聴番組の属性情報として、図２０に示すように放送チャンネル「１ＣＨ」、ジャンル「バラエティ」、放送時間帯「１９時００分〜２１時００分」という情報を取得する。また、裏番組属性情報取得手段１９２２は、上述の構成により裏番組を認識した上で、４個の裏番組（番組Ｇ、番組Ｈ、番組Ｉ、番組Ｊ）の裏番組属性情報として、放送チャンネル、ジャンル、放送時間帯について、やはり図２０に示す内容の情報を取得する。次に、第一比較手段１９２３は、図２１に一例を示す所定の関係を定めた比較ルール（本例では、所定の分類によるジャンルが一致すること）に従って視聴番組の属性情報と裏番組属性情報とを比較する。この結果、番組Ｇと番組Ｈの裏番組属性情報が番組Ｆの視聴番組属性情報とジャンル（バラエティ）が一致するので、所定の関係にあると判断される。この結果、属性系判断手段は、番組Ｇと番組Ｈを録画すると判断し、裏番組録画部１９３０が当該番組Ｇと番組Ｈを録画する。
【００２７】
（構成の目的）
このように、視聴番組属性情報と裏番組属性情報とが所定の関係にある場合にのみ裏番組を録画すると判断するように構成されているのは、すべての裏番組を録画する場合に比べ、録画する番組の量を減らすことができ、かつユーザの好みに合う番組の録画機会を逸することがない点でも遜色がないようにすることを目的とする。即ち、裏番組の中には、ユーザの好みに合う番組以外が含まれている場合もあり得るので、裏番組をすべて録画する場合は、ユーザの好みに合う番組の録画機会を逸するおそれはない半面、ユーザの好みに合わない裏番組まで録画してしまうおそれもある。そこで、視聴番組属性情報と裏番組属性情報とが所定の関係にある場合にのみ裏番組を録画することで、好みに合う番組の録画機会を逸するおそれは生じるものの、ユーザの好みに合わない裏番組まで録画してしまうおそれをなくすことができる。しかも、ユーザの好みに合う裏番組は出力中の番組とジャンルや番組タイトルに含まれるキーワードなどが一致する蓋然性が極めて高いことから、このような所定の関係にある番組をすべて録画することで、好みに合う番組の録画機会を逸するおそれをほとんどなくすことができる。
【００２８】
（ハードウェア構成）
次に、本実施例の録画システムのハードウェア構成について説明する。
図４は本実施例の録画システムのハードウェア構成の一例を示す概略図である。本図に示すように、本実施例の録画システムの出力部は「記憶装置（記録媒体）」０４０１と、「メインメモリ」０４０２と、「ＣＰＵ」０４０３と、「Ｉ／Ｏ」０４０４と、「ディスプレイ」０４０５と、「スピーカ」０４０６などから構成される。判断部及び裏番組録画部は「記憶装置（記録媒体）」と、「ＣＰＵ」と、「メインメモリ」と、「Ｉ／Ｏ」などから構成される。これらは「システムバス」０４０７などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例では出力プログラムと、判断プログラムと、録画プログラムとが記憶装置に記憶されており、これらのプログラムは例えば電源投入とともに自動的に記憶装置から読み出されてメインメモリに常駐する。
このうち、視聴番組の出力にかかるハードウェア構成は公知技術と同様であるので説明を省略し、ここでは、まず裏番組を録画するか否かの判断に係るハードウェア構成について説明する。
【００２９】
（裏番組を録画するかの判断に係るハードウェア構成（１）全裏番組を録画する場合）
ＣＰＵは、判断プログラムの全裏番組を録画せよとの命令を実行することになるが、この場合まず、ＣＰＵは出力中の番組の属性情報として放送チャンネル情報を取得して一旦メインメモリに格納する。この取得は例えば図示を省略したチューナなどによりＩ／Ｏを介して予め受信した放送信号中に含まれるＥＰＧ情報から抽出することにより行われる。また、ＣＰＵは、現在番組を放送中の全チャンネル情報をやはりＥＰＧ情報等から取得して一旦メインメモリに格納する。これは現在放送休止中のチャンネルを録画するという無駄を避けるためである。
そして、ＣＰＵは、これらのチャンネル情報を照合することで現在放送中の全番組から出力中の番組を除いたものが裏番組であると判断し、これらの裏番組をすべて録画するとの判断結果を得る。この判断結果は、ＣＰＵがこれを一旦メインメモリに格納する。
【００３０】
（裏番組を録画するかの判断に係るハードウェア構成（２）出力中の番組の属性情報と裏番組属性情報が所定の関係にある場合に裏番組を録画する場合）
図５はかかる場合の録画システムのハードウェア構成の一例を示す概略図である。
本図の構成は基本的に図４で示した構成と共通する。ただし、本例において、記憶装置０５０１には取得対象属性情報リストが予め記憶されている。そこでＣＰＵ０５０３は、まずこのリストをメインメモリ０５０２に読み出す。そして、このリストにある属性情報を取得するように規定された判断プログラムの命令に従い、ＣＰＵは出力中の番組の属性情報を取得する。この取得は、例えば予め受信した放送信号中に含まれるＥＰＧ情報から抽出するほか、受信した音声データ、映像データを予め保持する音声データ、映像データ（例えば商品名にかかる音声データや出演俳優の形状にかかる映像データなど）と照合することにより抽出される。取得した出力中の番組の属性情報は一旦メインメモリに格納される。また、裏番組の属性情報についても上の視聴番組の属性情報の場合と同じ要領でＣＰＵがこれを取得してメインメモリに格納する。その際、裏番組が存在していることの判断を、上例と同じように、例えば現在番組を放送中の全チャンネル情報をＥＰＧ情報等から取得することで行う。
一方、記憶装置には、例えば比較ルールを定めたテーブルが予め記憶されていることが望ましいところ、かかる場合には、ＣＰＵは当該テーブルをメインメモリに読み出す。そして、上記処理によってメインメモリに格納された視聴番組の属性情報と裏番組の属性情報とをこのテーブルと照合することにより所定の関係にあるかを比較し、所定の関係にある場合には当該裏番組を録画するとの判断結果をメインメモリに格納する。
【００３１】
（裏番組の録画に係るハードウェア構成）
以上の判断に従って、裏番組を録画するとの判断結果がメインメモリに格納されると、裏番組録画部を構成するＣＰＵが当該判断結果を読み出し、録画プログラムを実行して裏番組の録画を行う。具体的には、通例複数存在する裏番組を録画するために、裏番組の数だけ用意されたチューナ（図示を省略）を介してそれぞれの放送信号を受信して、当該信号に含まれる番組データを記録する。
なお、本発明は、番組を出力させつつ、裏番組を録画するものであるから、録画システムは、放送を受信するチューナ（図示を省略）を最低限二つ備えている必要があるが、それ以上いくつであってもよい。その場合、録画システムを構成するテレビジョンなどの出力装置と、録画装置とに最低限一つずつ備える構成のほか、ｉリンク（登録商標）など録画可能な映像情報をやりとりできる手段で出力装置と録画装置を互いを接続することにより、一方の装置のみにチューナを備えるようにしてもよい。これは他の実施例においても同様である。
なお、図示を省略したが、この場合において裏番組となり得る番組を番組出力前に録画する場合は、録画したデータをバッファメモリ領域に一時的に記憶し、ある番組が出力されたために現実に裏番組になった場合にこれをバッファメモリ領域から読み出してメモリに記憶する。また、バッファメモリの容量が一杯になるなど予め定められたバッファメモリの録画量に達した場合は、新たなデータを古いデータに上書きする。
【００３２】
<処理の流れ>
図６は、本実施例の録画システムにおける処理の流れの一例を示す図である。
本図に示すように、まず、出力ステップＳ０６０１において、録画システムは、放送番組を視聴させるために出力する。
次に、前記ステップＳ０６０１にて出力されている放送番組の裏番組を自動録画するか否かの判断ステップＳ０６０２において、録画すると判断した場合、裏番組の録画ステップＳ０６０３において、録画システムは、視聴している番組の裏番組を録画する。
【００３３】
図７は、本実例の録画システムにおける処理の流れの別の一例を示す図であって、出力中の番組と所定の関係にある裏番組だけを録画する場合の処理の流れの一例を示す。
この場合、本図に示すように、録画システムは、まず出力ステップＳ０７０１において放送番組を視聴させるために出力する。
次に、視聴番組属性情報取得ステップＳ０７０２において、録画システムは、前記ステップＳ０７０１にて出力されている放送番組の属性情報を取得する。
次に、裏番組属性情報取得ステップＳ０７０３において、録画システムは、裏番組の属性情報を取得する。
次に、属性情報が所定の関係にあるかの比較ステップＳ０７０４において、録画システムは、前記ステップＳ０７０２にて取得した視聴番組の属性情報と、前記ステップＳ０７０３にて取得した裏番組属性情報とが所定の関係にあるか比較する。
次に、前記ステップＳ０７０４における比較結果が所定の関係にあるとの比較結果であるかの判断ステップＳ０７０５において、所定の関係にあるとの判断結果の場合、裏番組を録画するとの判断ステップＳ０７０６において、録画システムは、裏番組を録画すると判断する。
次に、裏番組の録画ステップＳ０７０７において、録画システムは、視聴している番組の裏番組を録画する。
【００３４】
<効果>
本実施例の発明により、ユーザがいちいちキーワードを設定しなくても、あるいは過去に当該キーワードを含む番組を録画したことがない場合でも、ユーザの普段のテレビ視聴履歴などから、ユーザの好みを判断し、かかる好みに合う番組を自動的に録画することで、ユーザが見たい番組の録画機会を逸することがないようにすることが可能な録画システムを提供することができる。また、その際に、ユーザの視聴の便宜も考えて現実的な量の番組だけを録画することが可能な録画システムを提供することができる。
【実施例２】
【００３５】
<概要>
本実施例の録画システムは、実施例１と基本的に共通する。ただし、本実施例の録画システムの判断部は、出力部から過去に出力された放送番組の属性情報（過去視聴番組属性情報）を取得する手段と、裏番組属性情報を取得する手段と、取得した過去視聴番組属性情報と取得した裏番組属性情報とが所定の関係にあるか比較する手段と、この比較結果が所定の関係にあるとの比較結果である場合には裏番組を録画すると判断する手段とを有する点に特徴を有する。つまり、現在出力中の番組の属性情報ではなく、過去に出力された番組の属性情報と、裏番組属性情報を比較して裏番組を録画するか判断する点が実施例１と異なる。
【００３６】
<構成>
（構成の概要）
図８は本実施例の録画システムの機能ブロックの一例を示す図である。本実施例の録画システムは実施例１で図２を用いて説明した録画システムと基本的に共通する。ただし、本実施例の「録画システム」０８００の「判断部」０８２０は、「過去視聴番組属性情報取得手段」０８２５と、「裏番組属性情報取得手段」０８２２と、「第二比較手段」０８２６と、「過去属性系判断手段」０８２７とを有する。
【００３７】
（過去視聴番組属性情報取得手段）
「過去視聴番組属性情報取得手段」は、出力部から過去に出力された放送番組の属性情報を取得するように構成されている。
「過去に出力された」時期はいつでもよい。即ち、直前であっても、数日、数月さらには数年前であってもよい。また、現在の出力との間に番組が出力されてない時間があってもよいし、番組が継続して出力されており現在の出力との間に番組が出力されてない時間がなくてもよい。後者の場合は、出力中の番組が終了して次の番組の出力が始まった瞬間、あるいは番組途中で他番組に出力が切り換えられた場合（ただし、ザッピングの場合に切換えとみなさない構成でもよい点は実施例１と同様である）に、それまで出力されていた番組が「過去に出力された放送番組」となる。
本実施例でいう「属性情報」も実施例１における属性情報と同じ意味であり、これに該当する具体例も同様である。また、その取得方法として、例えば、放送局より送信されるＥＰＧ情報等の放送データの中から予めそのまま取得したり、放送データを音声認識技術や画像認識技術を利用して解析したりすることによりこれを取得する方法が考えられる点も同様である。さらに、ある番組についてすべての属性情報を取得してもよいし特定の属性情報だけを取得してもよい点や、取得対象属性情報リストが予め記憶装置に保持されている点なども共通する。
属性情報を取得するタイミングとしては、以下の場合が考えられる。
第一に、番組出力中に出力中の番組の属性情報を取得することが考えられる。出力中の番組の属性情報を取得する要領は、実施例１で視聴番組属性情報取得手段が出力中の番組の属性情報を取得する要領と同じである。取得した属性情報は記憶装置に記憶しておき、後刻過去視聴番組属性情報取得手段が過去に出力された放送番組の属性情報として取得する。
第二に、出力された番組を記録しておき、後刻、過去視聴番組属性情報取得手段が当該番組を解析して属性情報を取得するようにしてもよい。あるいは、ＥＰＧ情報のうち当該番組にかかるデータなど当該番組の属性情報を取得するために必要な情報を一緒に記録しておき、この情報に基づいて後刻属性情報を取得してもよい。なお、この場合の番組の記録には、バッファメモリに一時的に記録する場合が含まれる。
【００３８】
（裏番組属性情報取得手段）
「裏番組属性情報取得手段」については、実施例１で述べたところと共通する。
なお、ここでいう「裏番組」も、実施例１と同様、「現に出力中の番組と同時に他局で放送されている番組」を意味するので、裏番組属性情報を取得し、以下に述べる比較、判断が行われるためには、現に出力中の番組が存在することが当然の前提となる。これは、ユーザの視聴の便宜を考え、ユーザがテレビ等を視聴している時間、即ち、番組が現に出力されている場合に、その裏番組を対象として録画するという本発明の目的に沿うものである。
【００３９】
（第二比較手段）
「第二比較手段」は、取得した過去視聴番組属性情報と取得した裏番組属性情報とが所定の関係にあるか比較するように構成されている。ここでいう「所定の関係」は実施例１でいう所定の関係と同じ意味である。また、比較の具体的要領も同様である。
（過去属性系判断手段）
「過去属性系判断手段」は、第二比較手段での比較結果が所定の関係にあるとの比較結果である場合には裏番組を録画すると判断するように構成されている。判断の具体的要領は、実施例１で属性系判断手段について述べたところと共通する。
【００４０】
（具体的例に即した機能ブロックの説明）
ここで、本実施例における具体例に即した機能ブロックの一例について説明する。図２２はかかる機能ブロックの一例を示す図である。
本図の例では、出力部２２１０は、ある日の１９時００分から２１時００分まで放送されているバラエティ番組（番組Ｆ）を出力したものとする。また、その後深夜０時３０分から１時００分に報道番組（番組Ｍ）を視聴するために、再び出力部が当該番組Ｍを出力中である。この場合、判断部２２２０の過去視聴番組属性情報取得手段２２２５は、番組Ｆを対象として、例えば出力中に取得した属性情報を記憶していたものを過去視聴番組属性情報として、図２３に示すように放送チャンネル「１ＣＨ」、ジャンル「バラエティ」、放送時間帯「１９時００分〜２１時００分」という情報を取得する。また、裏番組属性情報取得手段２２２２は、上述の構成により裏番組を認識した上で、４個の裏番組（番組Ｋ、番組Ｌ、番組Ｎ、番組Ｏ）の裏番組属性情報として、放送チャンネル、ジャンル、放送時間帯について、やはり図２３に示す内容の情報を取得する。次に、第二比較手段２２２６は、図２１に示した所定の関係を定めた比較ルール（本例では、所定の分類によるジャンルが一致すること）に従って視聴番組の属性情報と裏番組属性情報とを比較する。この結果、番組Ｌの裏番組属性情報が番組Ｆの過去視聴番組属性情報とジャンル（バラエティ）が一致するので、所定の関係にあると判断される。この結果、過去属性系判断手段２２２７は、番組Ｌを録画すると判断し、裏番組録画部２２３０が当該番組Ｌを録画する。
【００４１】
（構成の目的）
本実施例の構成の目的は、ユーザの好みに合う番組の録画機会をより適切に確保する点にある。つまり、実施例１の構成によれば、すべての裏番組を録画する場合は格別、出力中の番組と所定の関係にある番組だけを録画する場合には、たまたまある番組を出力中に、これと所定の関係にはないが、過去に視聴した番組とはかかる関係にある裏番組が放送されていることがある。例えば、ユーザの番組の好みがスポーツ番組とバラエティ番組であり、過去にこれらのジャンルの番組を視聴していたが、ある時間帯にスポーツ番組を出力して視聴しているものとする。この場合、属性情報として番組のジャンルが含まれていれば、これが取得対象として取得され、比較・判断されるので、裏番組がスポーツ番組であれば録画すると判断されることになる。しかし、たまたま裏番組としてバラエティ番組が放送されていた場合、番組のジャンルを属性情報として比較しても所定の関係にないため、録画しないと判断される場合がある。しかし、ユーザとしては、もしその時間帯にバラエティ番組を放送していることがわかっていればそれを録画しておきたいという場合も考えられる。そこで、過去に視聴した番組の属性情報を取得して、裏番組の属性情報と比較することにより、これと所定の関係にある裏番組は録画すると判断するようにすれば、このような、ユーザの好みに合うが、出力中の番組とは別の好みに属する番組を確実に録画することができる。
【００４２】
（ハードウェア構成）
次に、本実施例の録画システムのハードウェア構成について説明する。
図９は、本実施例の録画システムのハードウェア構成の一例を示す概略図である。本図に示すように、本例の録画システムの本実施例の録画システムの出力部は「記憶装置（記録媒体）」０９０１と、「メインメモリ」０９０２と、「ＣＰＵ」０９０３と、「Ｉ／Ｏ」０９０４と、「ディスプレイ」０９０５と、「スピーカ」０９０６などから構成される。判断部及び裏番組録画部は「記憶装置（記録媒体）」と、「ＣＰＵ」と、「メインメモリ」と、「Ｉ／Ｏ」などから構成される。これらは「システムバス」０９０７などのデータ通信経路によって相互に接続される。
【００４３】
ここでは、過去に視聴した番組の属性情報を取得するためのハードウェア構成を中心に説明する。なお、裏番組の属性情報を取得して、前記処理により取得した過去に視聴した番組の属性情報と比較して裏番組を録画するか判断するための構成は、実施例１で図５を用いて説明したところと共通する。
ＣＰＵは、例えば記憶装置からメインメモリに読み出した、取得対象となる属性情報のリストである取得対象属性情報リストにある属性情報を取得せよとの判断プログラムの命令に従い、出力中の番組の属性情報を取得する。この取得の具体的要領は、実施例１の場合と同様である。
取得した属性情報は、メインメモリに一旦格納された後、原則として記憶装置に記憶される。
次に、上記の番組出力以後に番組の出力がなされた場合、即ち、録画システムがＩ／Ｏを介して新たな番組の放送信号を受信した場合、ＣＰＵは当該放送信号に含まれる放送チャンネル情報を取得するとともに、ＥＰＧ情報等に基づいて番組放送中の全チャンネル情報も取得し、これらのチャンネル情報を照合して、裏番組のチャンネル情報を取得する。
次に、ＣＰＵは、既述の処理によって記憶装置などに記憶された出力中の番組の属性情報であって、今や過去に視聴した番組の属性情報となっているものをメインメモリに読み出す。また、裏番組についても、属性情報を取得する。裏番組属性情報の取得の具体的要領も実施例１と同様である。そして、やはり実施例１と同様の要領により、両者の属性情報の比較を行って裏番組を録画するかどうか判断して、判断結果をメインメモリに格納する。
【００４４】
以上は、番組出力中に出力中の番組の属性情報を取得して記憶しておき、後刻新たな番組出力があったときに、これを過去に出力された放送番組の属性情報として取得する場合の構成であるが、これに対し、出力された番組を記録しておき、後刻、当該番組の解析などにより属性情報を取得する場合の構成は以下のとおりである
ＣＰＵはまず、録画プログラムの定める手順に従い、出力された番組の番組データをメインメモリに格納することで番組の録画を行う。このデータはさらに記憶装置に記憶されてもよい。また、その際に、後刻属性情報を取得するために必要となるＥＰＧ情報中のデータ等も番組と関連付けて記録される。
次に、新たな番組出力があった場合に、ＣＰＵは、上記の番組データ等を読み出し、属性情報を取得する。その取得要領は、実施例１で出力中の番組の属性情報を取得する場合と同様である。また、裏番組についても、実施例１と同様の要領で属性情報を取得する。そして、やはり実施例１と同様の要領により、両者の属性情報の比較を行って裏番組を録画するかどうか判断して、判断結果をメインメモリに格納する。
【００４５】
<処理の流れ>
図１０は、本実施例の録画システムにおける処理の流れの一例を示す図である。
まず、出力ステップＳ１００１において、録画システムは、放送番組を視聴させるために出力する。
次に、視聴番組属性情報取得ステップＳ１００２において、録画システムは、前記ステップＳ１００１にて出力されている放送番組の属性情報を取得する。取得した視聴番組属性情報は記憶装置に記憶される。
次に、第二の出力ステップＳ１００３において、録画システムは、前記ステップＳ１００１にて出力されたものとは異なる放送番組を視聴させるために出力する。
次に、裏番組属性情報取得ステップＳ１００４において、録画システムは、前記ステップＳ１００３にて出力されている番組の裏番組の属性情報を取得する。
その余の流れは、実施例１について図７を用いて説明した処理の流れと共通する。
【００４６】
図１１は、本実施例の録画システムにおける処理の流れの別の一例を示す図である。
まず、出力ステップＳ１１０１において、録画システムは、放送番組を視聴させるために出力する。
次に、視聴番組の録画ステップＳ１１０２において、録画システムは、前記ステップＳ１１０１にて出力されている番組を録画する。その際、後刻当該番組の属性情報を取得するために必要な情報も合わせて記録する。
次に、第二の出力ステップＳ１１０３において、録画システムは、前記ステップＳ１１０１にて出力されたものとは異なる放送番組を視聴させるために出力する。
次に、過去視聴番組属性情報取得ステップＳ１１０４において、録画システムは、前記ステップＳ１１０２において録画された番組（過去視聴番組）の属性情報を取得する。
次に、裏番組属性情報取得ステップＳ１１０５において、録画システムは、前記ステップＳ１１０３にて出力されている番組の裏番組の属性情報を取得する。
その余の流れは、実施例１について図７を用いて説明した処理の流れと共通する。
【００４７】
<効果>
本実施例の発明により、過去に視聴した番組と同じ好みに合う番組であれば、出力中の番組とは別の好みに属する番組であってもこれを確実に録画することができ、ユーザの好みに合う番組の録画機会をより適切に確保することが可能となる。
【実施例３】
【００４８】
<概要>
本実施例の録画システムは、実施例１の録画システムと基本的に共通するが、判断部が裏番組の番組放送時間を取得する手段と、取得した番組放送時間どうしを比較して最も番組放送時間が長い裏番組を特定するための手段と、これにより特定された裏番組を録画すると判断する手段とを有する点に特徴を有する。
【００４９】
<構成>
（構成の概要）
図１２は、本実施例の録画システムの機能ブロックの一例を示す図である。本例の録画システムは実施例１の装置と基本的に共通する。ただし、本図に示すように本例の「録画システム」１２００の「判断部」１２２０は、「番組放送時間情報取得手段」１２２８と、「最長放送時間裏番組特定手段」１２２９と、「最長放送時間系判断手段」１２４１を有する。
【００５０】
（番組放送時間情報取得手段）
「番組放送時間情報取得手段」は、裏番組の番組放送時間を取得するように構成されている。裏番組は複数あるのが通常であるところ、当該手段は、これら複数のすべての裏番組の番組放送時間を取得することが望ましい。
番組放送時間の取得のための具体的構成としては、例えば放送信号に含まれるＥＰＧ情報などから放送時間をそのまま取得したり、放送開始時刻と放送終了時刻を取得して計算を行って取得したりすることが考えられる。
【００５１】
（最長放送時間裏番組特定手段）
「最長放送時間裏番組特定手段」は、取得した番組放送時間どうしを比較して最も番組放送時間が長い裏番組を特定するためのものである。
最も放送時間が長い裏番組が複数ある場合は、該当するすべての番組を特定するようにしてもよいし、例えば視聴番組と裏番組の属性情報を取得し、取得した視聴番組属性情報と所定の関係を有する裏番組属性情報を有する裏番組だけを録画するなど、予め定められたルールによって絞り込まれた一又は複数の番組だけを特定するようにしてもよい。
【００５２】
（最長放送時間系判断手段）
「最長放送時間系判断手段」は、最長放送時間裏番組特定手段にて特定された裏番組を録画すると判断するように構成されている。
図１３は、以上の構成により、本実施例の録画システムが判断を行った結果の一例を示す概念図である。本図の例では、４個の裏番組（番組Ｂ、番組Ｃ、番組Ｄ、番組Ｅ）がある場合に、これらすべての裏番組について放送開始時刻と放送終了時刻を取得して計算を行って取得した番組放送時間を比較して、最長番組放送時間（２時間）の裏番組である番組Ｅを特定して、これを録画するとの判断結果が得られたことが示されている。
なお、本実施例においても、原則として出力時以降に録画を開始するため、出力された番組より先に放送が始まっている裏番組については、番組途中から録画されることになるか、あるいは既に放送が始まっている番組は録画対象からはずされることとなる。この結果、最長番組放送時間を有するとして特定された裏番組を録画しても、録画時間が最長にはならないおそれもある。そこで、これを避けるために視聴番組の出力に先立ってこの最長番組放送時間を有する裏番組を録画するようにしてもよい。そのための具体的構成の例は、すでに実施例１で述べたところと同様である。
【００５３】
（具体的例に即した機能ブロックの説明）
ここで、本実施例における具体例に即した機能ブロックの一例について説明する。図２４はかかる機能ブロックの一例を示す図である。
本図の例では、出力部２４１０は、ある日の１９時００分から２１時００分まで放送されているバラエティ番組（番組Ｆ）を出力しているものとする。この場合、判断部２４２０の番組放送時間情報取得手段２４２８は、上述の構成により裏番組を認識した上で、４個の裏番組（番組Ｇ、番組Ｈ、番組Ｉ、番組Ｊ）の裏番組放送時間情報として、図２５に示す内容の情報を取得する。また、最長放送時間裏番組特定手段２４２９は、これらの裏番組の裏番組放送時間を比較して番組Ｈと番組Ｊが最長放送時間（２時間）を有する裏番組であることを特定する。この結果、最長放送時間系判断手段２４４１は、特定された番組Ｈと番組Ｊを録画すると判断し、裏番組録画部２４３０が当該番組Ｈと番組Ｊを録画する。
【００５４】
（構成の目的）
本実施例の構成の目的は、裏番組の録画量が増えすぎないように録画対象を絞り込むことにある。その際、番組放送時間が最長のものを特定するように構成したのは、かかる番組がユーザの好みを満足させる度合いが最も高い可能性が高いからである。
なお、本実施例とは異なるが、ユーザの好みを満足させる度合いが最も高いと考えられる番組が、出力番組と放送時間の重なり合いの度合いが最も大きい（その最大のものは番組放送時間が同じものである）と考えられる場合には、本実施例と同様の構成により放送時間を比較した結果、かかる放送時間の重なり合いの度合いが最も大きい裏番組を録画対象として特定するようにしてもよい。
【００５５】
（ハードウェア構成）
次に、本実施例の録画システムのハードウェア構成について説明する。
図１４は、本実施例の録画システムのハードウェア構成の一例を示す概略図である。本図に示すように、本実施例の録画システムの出力部は「記憶装置（記録媒体）」１４０１と、「メインメモリ」１４０２と、「ＣＰＵ」１４０３と、「Ｉ／Ｏ」１４０４と、「ディスプレイ」１４０５と、「スピーカ」１４０６などから構成される。判断部及び裏番組録画部は「記憶装置（記録媒体）」と、「ＣＰＵ」と、「メインメモリ」と、「Ｉ／Ｏ」などから構成される。これらは「システムバス」１４０７などのデータ通信経路によって相互に接続される。
【００５６】
ここでは、裏番組の番組放送どうしを比較して最も番組放送時間が長い裏番組を特定し、特定された裏番組を録画すると判断するためのハードウェア構成を中心に説明する。なお、その余の構成は、実施例１で図４を用いて説明したところと共通する。
ＣＰＵは、実施例１で説明した構成に従い、どれが裏番組であるかを認識すると、当該裏番組の番組放送時間を取得する。この取得は、例えば放送信号に含まれるＥＰＧ情報などに番組放送時間情報が含まれていれば、それをそのまま取得してメインメモリに格納する。一方、番組放送時間情報そのものを外部から取得できない場合は、例えばＥＰＧ情報に含まれる当該番組の放送開始時刻と放送終了時刻のデータを取得し、番組放送時間を計算により求めることで取得する。これらの方法により取得した番組放送時間情報は、ＣＰＵがこれを番組の識別情報と関連付けて、メインメモリに格納する。裏番組は通例複数あるところ、ＣＰＵはこれらすべての裏番組について順次同様の処理を行って、メインメモリに格納する。
次に、ＣＰＵは、これらの番組放送時間情報を読み出し、これらを比較して、その中で最も長い放送時間を選別し、これに関連付けられている識別情報により、当該最長番組放送時間を有する裏番組を特定し、その識別情報をメインメモリに格納する。
次に、ＣＰＵは、特定された裏番組を録画するとの判断プログラムの命令に従い、当該特定された裏番組を録画すると判断する。
【００５７】
<処理の流れ>
図１５は、本実施例の録画システムにおける処理の流れの一例を示す図である。本実施例の処理の流れは基本的に実施例１について図６で説明した処理の流れと共通する。ただし、本実施例においては、図６で示した判断ステップＳ０６０２は以下のサブステップを有する。
まず、番組放送時間情報取得ステップＳ１５０２において、録画システムは、裏番組の番組放送時間を取得する。
次に、最長放送時間裏番組特定ステップＳ１５０３において、録画システムは、前記ステップＳ１５０２にて取得した番組放送時間どうしを比較して最も番組放送時間が長い裏番組を特定する。
次に、最長放送時間裏番組を録画するか否かの判断ステップＳ１５０４において、録画システムは前記ステップＳ１５０３にて特定された裏番組を録画するか否かの判断を行う。なお、録画するとの判断結果の場合に、裏番組の録画ステップＳ１５０５において、録画システムは、裏番組の録画を行う。
【００５８】
<効果>
本実施例の発明により、ユーザの好みを満足させる度合いが最も高い可能性が高い番組を録画対象に特定することで、ユーザの好みを満たしつつ裏番組の録画量が増えすぎないように録画対象を絞り込むことができる。
【実施例４】
【００５９】
<概要>
本実施例の録画システムは、基本的に実施例１の録画システムと共通するが、判断部が出力部から出力されている放送番組の属性情報を取得する手段と、裏番組の属性情報を取得する手段と、裏番組の番組放送時間を取得する手段と、取得した視聴番組属性情報と所定の関係を有する裏番組属性情報を有する放送番組が複数ある場合には、その中で取得した番組放送時間が最も長い裏番組を録画すると判断する手段とを有する点に特徴を有する。
【００６０】
<構成>
（構成の概要）
図１６は、本実施例の録画システムの機能ブロックの一例を示す。本例の録画システムは実施例１の録画システムと基本的に共通する。ただし、本図に示すように本例の「録画システム」１６００の「判断部」１６２０は、「視聴番組属性情報取得手段」１６２１と、「裏番組属性情報取得手段」１６２２と、「番組放送時間情報取得手段」１６２８と、「属性時間系判断手段」１６４２とを有する。
【００６１】
（視聴番組属性情報取得手段、裏番組属性情報取得手段、番組放送時間情報取得手段）
「視聴番組属性情報取得手段」は、出力部から出力されている放送番組の属性情報を取得するように構成されている。
「裏番組属性情報取得手段」は、裏番組の属性情報を取得するように構成されている。
「番組放送時間情報取得手段」は、裏番組の番組放送時間を取得するように構成されている。
以上の構成は、実施例１又は実施例３で説明した当該手段の構成と共通する。
【００６２】
（属性時間系判断手段）
「属性時間系判断手段」は、取得した視聴番組属性情報と所定の関係を有する裏番組属性情報を有する放送番組が複数ある場合には、その中で取得した番組放送時間が最も長い裏番組を録画すると判断するように構成されている。
この構成は、実施例１で説明したところと同様の構成により視聴番組属性情報と裏番組属性情報とが所定の関係にあるか比較を行うための構成に加え、かかる比較の結果視聴番組属性情報と所定の関係を有する裏番組属性情報を有する裏番組が複数ある場合に、実施例３で説明した番組放送時間が最も長い裏番組を特定するための構成を付加したものであり、それぞれの構成は各実施例で説明した構成と同様であるので、説明は省略する。また、ハードウェア構成も、実施例１及び実施例３において、図５及び図１４を用いて説明したところの組合せであるので、説明を省略する。
【００６３】
（具体的例に即した機能ブロックの説明）
ここで、本実施例における具体例に即した機能ブロックの一例について説明する。図２６はかかる機能ブロックの一例を示す図である。
本図の例では、出力部２６１０は、ある日の１９時００分から２１時００分まで放送されているバラエティ番組（番組Ｆ）を出力しているものとする。この場合、判断部２６２０の視聴番組属性情報取得手段２６２１は、視聴番組の属性情報として、図２０に示すように放送チャンネル「１ＣＨ」、ジャンル「バラエティ」、放送時間帯「１９時００分〜２１時００分」という情報を取得する。また、裏番組属性情報取得手段２６２２は、上述の構成により裏番組を認識した上で、４個の裏番組（番組Ｇ、番組Ｈ、番組Ｉ、番組Ｊ）の裏番組属性情報として、放送チャンネル、ジャンル、放送時間帯について、やはり図２０に示す内容の情報を取得する。次に、番組放送時間情報取得手段２６２８は、４個の裏番組（番組Ｇ、番組Ｈ、番組Ｉ、番組Ｊ）の裏番組放送時間情報として、図２５に示す内容の情報を取得する。この場合、実施例１と同様の要領により比較することで、番組Ｆの視聴番組属性情報と所定の関係を有する裏番組属性情報を有する裏番組は番組Ｇと番組Ｈであり、視聴番組属性情報と所定の関係を有する裏番組属性情報を有する放送番組が複数ある場合に該当する。そこで、属性時間系判断手段２６４３は、その中で取得した番組放送時間が最も長い裏番組である番組Ｈを録画すると判断し、裏番組録画部２６３０が当該番組Ｈを録画する。
【００６４】
（構成の目的）
本実施例の目的は、実施例１と実施例３でそれぞれ説明した録画対象の絞込みの方法を組み合わせることで、さらに録画量を限定することにある。
【００６５】
<処理の流れ>
図１７は、本実施例の録画システムにおける処理の流れの一例を示す。
まず、出力ステップＳ１７０１において、録画システムは、放送番組を視聴させるために出力する。
次に、視聴番組属性情報取得ステップＳ１７０２において、録画システムは、前記ステップＳ１７０１にて出力されている放送番組の属性情報を取得する。
次に、裏番組属性情報取得ステップＳ１７０３において、録画システムは、裏番組の属性情報を取得する。
次に、番組放送時間情報取得ステップＳ１７０４において、録画システムは、裏番組の番組放送時間を取得する。
次に、属性情報が所定の関係にあるかの比較ステップＳ１７０５において、録画システムは、前記ステップＳ１７０２にて取得した視聴番組の属性情報と、前記ステップＳ１７０３にて取得した裏番組属性情報とが所定の関係にあるか比較する。
次に、前記ステップＳ１７０５における比較結果が所定の関係にあるとの比較結果であるかの判断ステップＳ１７０６において、所定の関係にあるとの判断結果の場合、次に、録画システムは、かかる判断結果に該当する裏番組が複数あるか判断する（ステップＳ１７０７）。そして、その結果複数あると判断する場合は、次に、最長放送時間裏番組特定ステップＳ１７０８において、録画システムは、前記ステップＳ１７０７にて複数あるとして取得した番組放送時間どうしを比較して最も番組放送時間が長い裏番組を特定する。
次に、最長放送時間系判断ステップＳ１７０９において、録画システムは、前記ステップＳ１７０８にて特定された裏番組を録画するか判断する。
次に、裏番組の録画ステップＳ１７１０において、録画システムは、前記ステップＳ１７０９にて録画すると判断された裏番組を録画する。
【００６６】
<効果>
本実施例の発明により、録画対象の絞込みの方法として属性情報と番組時間情報を組み合わせることで、さらに録画量を限定することが可能となる。
【実施例５】
【００６７】
<概要>
本実施例の録画システムは、基本的に実施例１から３のいずれか一の録画システムと共通するが、判断部が裏番組の自動録画が実行中であるか判断する手段と、その判断結果が自動録画実行中であるとの判断結果である場合には自動録画実行中である番組以外の放送番組を録画するとの判断をしない点に特徴を有する。
【００６８】
<構成>
（構成の概要）
図１８は、本実施例の録画システムの機能ブロックの一例を示す図である。本例の装置は基本的に実施例１から３のいずれか一の録画システムと共通する、ただし、本図に示すように、本実施例の「録画システム」１８００の「判断部」１８２０は、「実行中判断手段」１８４３をさらに有する。
【００６９】
（実行中判断手段）
「実行中判断手段」は、裏番組の自動録画が実行中であるか判断するように構成されている。「裏番組の自動録画が実行中である」とは、実施例１で説明した構成により、少なくとも一つの裏番組が、出力部から出力されている放送番組と例えば番組属性情報が所定の関係にあると判断されたため、自動録画すると判断されて、現在録画が実行中であることを指す。従って、裏番組の自動録画が実行中でない場合とは、出力中の番組と番組属性情報が所定の関係にあると判断される裏番組が一つもない場合などが該当する。なお、裏番組をすべて録画するという実施例の場合は、出力中の番組にかかる放送局以外はすべて放送を休止中であるといった例外的なケースを除き、裏番組の自動録画が実行中でない場合はないことになる。
また、上の例からも明らかなように、実行中判断手段が判断を行う主たる場面は、すでに番組が出力されていた場合であって、その出力中の番組が切り換えられた場合である。端的にいえば、視聴中にチャンネルが切り換えられた場合である。
従って、実行中判断手段が自動録画実行中であるか判断する対象となる「裏番組」は、チャンネルが切り換わる前の裏番組（だからこそ自動録画実行中であるかを判断する意味がある）である。チャンネルが切り換わった後の裏番組（これだと、それまで出力中であった番組が含まれてしまう）ではない。
「判断部」は、実行中判断手段の判断結果が自動録画実行中であるとの判断結果である場合には自動録画実行中である番組以外の放送番組を録画するとの判断をしないように構成されている。
【００７０】
次に、以上の構成を具体例に即して説明する。例えば、ユーザが１ＣＨを出力して番組を視聴中、裏番組である２〜５ＣＨの番組が自動録画対象として録画中であったところ、ユーザが番組途中でチャンネルを２ＣＨに切り換えたとする。この場合、実施例１で述べた原則的な構成によれば、裏番組が１ＣＨの番組に切り換わるので、録画対象も２ＣＨの番組から１ＣＨの番組に切り換わることとなる（ＣＨ３〜５の番組は引き続き録画対象である）。これに対し、本実施例の構成によれば、出力中の番組が切り換わったことをトリガーとして実施例１に説明した裏番組を録画するかどうかの判断処理が改めてなされた際に、実行中判断手段が裏番組（２〜５ＣＨの番組）の自動録画が実行中であると判断するので、判断部が自動録画実行中である番組以外の放送番組（１ＣＨの番組）を録画するとの判断をしないこととなるので、上のような録画対象の切り換わりが生じないこととなる。つまり、視聴番組が切り換えられても、２ＣＨを含むそれまで録画中であった番組がそのまま継続して録画され続けることになる。
【００７１】
<構成の目的>
本実施例の目的は、既述のように、視聴中に番組が切り換えられた場合は、本来は裏番組が入れ替わるので、録画対象も変わることになるが、ザッピングがなされることが多いことなどに鑑み、かかる場合にいちいち録画対象を切り換えるのは煩雑であるし、ユーザの利便に反するとも考えられるため、既に録画中の裏番組がある場合には、途中で視聴番組が切り換えられても録画対象を変更しないようにすることにある。
【００７２】
<ハードウェア構成>
次に本実施例の録画システムのハードウェア構成について説明する。
図２７は、本実施例の録画システムのハードウェア構成の一例を示す概略図である。本図に示すように、本例の録画システムの本実施例の録画システムの出力部は「記憶装置（記録媒体）」２７０１と、「メインメモリ」２７０２と、「ＣＰＵ」２７０３と、「Ｉ／Ｏ」２７０４と、「ディスプレイ」２７０５と、「スピーカ」２７０６などから構成される。判断部及び裏番組録画部は「記憶装置（記録媒体）」と、「ＣＰＵ」と、「メインメモリ」と、「Ｉ／Ｏ」などから構成される。これらは「システムバス」２７０７などのデータ通信経路によって相互に接続される。
【００７３】
ここでは、裏番組の自動録画が実行中であるか判断し、その判断結果が自動録画実行中であるとの判断結果である場合には自動録画実行中である番組以外の放送番組を録画するとの判断をしないようにするためのハードウェア構成を中心に説明する。なお、その余の構成は、実施例１で図４を用いて説明したところと共通する。
ＣＰＵは、番組出力中に視聴番組が切り換えられた場合、実施例１で説明した構成に従い、裏番組（切換え後の裏番組を指す）の自動録画を行うかどうか判断するに際し、まず、すでに裏番組（切換え前の裏番組を指す）の録画が実行中であるかの判断を行う。この録画が実行中であるかの判断は、例えば、以下の要領で行う。録画プログラムは、録画実行中の間だけ録画中の番組を識別するための番組ＩＤがメインメモリに格納されるようにプログラムされており、判断プログラムは、メインメモリに当該番組ＩＤが格納されているか否かを監視するようにプログラムされている。そこで、ＣＰＵは、かかる判断プログラムの命令に従い、メインメモリに録画中の番組の番組ＩＤが格納されているかを見て、番組ＩＤが格納されている場合は、格納されているとの判断結果を取得して、これをメインメモリに格納する。そして、録画プログラムを実行する際にＣＰＵが当該判断結果を読み出すと、録画プログラムはかかる判断結果の場合には裏番組の自動録画をするという処理を行わないようにプログラムされているため、ＣＰＵは当該裏番組の自動録画を行わず、処理を終了することとなる。この結果、何ら新たな録画処理がなされないままであるので、それまでの録画がそのまま継続されることとなる。
次に、メインメモリに番組ＩＤが格納されていないとの判断結果の場合、ＣＰＵは格納されていないとの判断結果をメインメモリに格納する。そこでこの場合、録画プログラムを実行する際にＣＰＵが当該判断結果を読み出すと、録画プログラムはかかる判断結果の場合には裏番組の自動録画をしないとの判断を行わないようにプログラムされているため、実施例１で説明した原則に戻って、実施例１で述べた構成に従い、裏番組の録画を行うとの判断がなされ、裏番組（切換え後の裏番組を指す）の録画が行われることになる。
【００７４】
<処理の流れ>
図２８は、本実施例の録画システムにおける処理の流れのうち、自動録画が実行中であるか判断し及び自動録画実行中である番組以外の放送番組を録画するかの判断にかかる処理の流れの一例を示す図である。その余の流れは実施例１と同様である。
まず、自動録画実行中であるかの判断ステップＳ２８０１において、実行中であると判断した場合、録画システムは、自動録画実行中である番組以外の放送番組を録画するとの判断をしない。この結果、何ら新たな録画処理はなされないまま当該処理を終了し、実行中の自動録画だけが継続して行われることになる。
一方、前記ステップＳ２８０１において、実行中でないと判断した場合、録画システムは、裏番組の録画ステップＳ２８０２において、裏番組の録画を行う。これは、実施例１で説明した原則どおりの処理である。
【００７５】
<効果>
本実施例の発明により、視聴中に番組が切り換えられた場合であっても既に録画中の裏番組がある場合には、途中で視聴番組が切り換えられても録画対象を変更しないようにすることが可能となる。
【図面の簡単な説明】
【００７６】
【図１】本発明の基本的な概念を説明するための図
【図２】実施例１の録画システムの機能ブロックの一例を示す図
【図３】実施例１の録画システムの機能ブロックの一例を示す図
【図４】実施例１の録画システムのハードウェア構成の一例を示す概略図
【図５】実施例１の録画システムのハードウェア構成の一例を示す概略図
【図６】実施例１の録画システムにおける処理の流れの一例を示す図
【図７】実施例１の録画システムにおける処理の流れの一例を示す図
【図８】実施例２の録画システムの機能ブロックの一例を示す図
【図９】実施例２の録画システムのハードウェア構成の一例を示す概略図
【図１０】実施例２の録画システムにおける処理の流れの一例を示す図
【図１１】実施例２の録画システムにおける処理の流れの一例を示す図
【図１２】実施例３の録画システムの機能ブロックの一例を示す図
【図１３】実施例３の録画システムが判断を行った結果の一例を示す概念図
【図１４】実施例３の録画システムのハードウェア構成の一例を示す概略図
【図１５】実施例３の録画システムにおける処理の流れの一例を示す図
【図１６】実施例４の録画システムの機能ブロックの一例を示す図
【図１７】実施例４の録画システムにおける処理の流れの一例を示す図
【図１８】実施例５の録画システムの機能ブロックの一例を示す図
【図１９】実施例１の録画システムの具体例に即した機能ブロックの一例を示す図
【図２０】実施例１の録画システムにおける視聴番組属性情報及び裏番組属性情報の一例を示す図
【図２１】実施例１の録画システムにおける所定の関係を定めた比較ルールの一例を示す図
【図２２】実施例２の録画システムの具体例に即した機能ブロックの一例を示す図
【図２３】実施例２の録画システムにおける視聴番組属性情報及び裏番組属性情報の一例を示す図
【図２４】実施例３の録画システムの具体例に即した機能ブロックの一例を示す図
【図２５】実施例３の録画システムにおける裏番組放送時間情報の一例を示す図
【図２６】実施例４の録画システムの具体例に即した機能ブロックの一例を示す図
【図２７】実施例５の録画システムのハードウェア構成の一例を示す概略図
【図２８】実施例５の録画システムにおける処理の流れの一例を示す図
【符号の説明】
【００７７】
０１００      録画システム
０１１０      出力部
０１２０      判断部
０１３０      裏番組録画部
【図１】
2008118197.tif 000003
【図２】
2008118197.tif 000004
【図３】
2008118197.tif 000005
【図４】
2008118197.tif 000006
【図５】
2008118197.tif 000007
【図６】
2008118197.tif 000008
【図７】
2008118197.tif 000009
【図８】
2008118197.tif 000010
【図９】
2008118197.tif 000011
【図１０】
2008118197.tif 000012
【図１１】
2008118197.tif 000013
【図１２】
2008118197.tif 000014
【図１３】
2008118197.tif 000015
【図１４】
2008118197.tif 000016
【図１５】
2008118197.tif 000017
【図１６】
2008118197.tif 000018
【図１７】
2008118197.tif 000019
【図１８】
2008118197.tif 000020
【図１９】
2008118197.tif 000021
【図２０】
2008118197.tif 000022
【図２１】
2008118197.tif 000023
【図２２】
2008118197.tif 000024
【図２３】
2008118197.tif 000025
【図２４】
2008118197.tif 000026
【図２５】
2008118197.tif 000027
【図２６】
2008118197.tif 000028
【図２７】
2008118197.tif 000029
【図２８】
2008118197.tif 000030